(57)【要約】【課題】軽失禁時の不快感の低減する【解決手段】紙おむつ本体部の前身頃の肌に接する面に、陰茎挿入用の袋体を設けた体液吸収性物品により解決される。【選択図】図１
2007097645.tif 000002
【特許請求の範囲】
【請求項１】
前身頃と後身頃とが股間部を介して連接され、前記前身頃から少なくとも股間部にいたるまで体液吸収要素が配置されている紙おむつ本体部と、
内部に体液を吸収保持する機能を有する袋部とこの袋部の開口縁の一部分が延出されてなる端片とを有する袋体と、を備え、
前記袋体は、端片の延出端縁部において前記おむつ本体部の前身頃に接着されていて、この接着部を除く自由部分が前記接着部を基部としておむつ本体部の前後方向に回動自在とされており、かつ、その端片に陰茎挿通用の孔部または切欠き部が形成されている、ことを特徴とする体液吸収性物品。
【請求項２】
孔部の周囲または切欠き部周囲に弾性伸縮部材が配されており、孔径あるいは切欠きの大きさが変化可能に構成されている請求項１記載の体液吸収性物品。
【請求項３】
前記袋体の自由部分をおむつ本体部に対して仮固定するための係止部材が設けられている請求項１または２記載の体液吸収性物品。
【請求項４】
少なくとも接着部と袋部との間に弾性伸縮部材が介在されている請求項１〜３の何れか１項に記載の体液吸収性物品。
【発明の詳細な説明】
【技術分野】
【０００１】
本発明は、体液を吸収処理する体液吸収性物品に関し、特には、男性に適した体液吸収性物品に関する。
【背景技術】
【０００２】
尿などの体液の吸収性物品として紙おむつがよく知られる。一般的に、紙おむつは、吸収体が前身頃の中ほどから股間部をとおって後身頃の中ほどに至るまで配置されており、失禁時などに尿を当該吸収体に吸収させて保持するように構成されている。
【特許文献１】特開２００５−２３７７８２
【特許文献２】特開２００５−０７３９２１
【発明の開示】
【発明が解決しようとする課題】
【０００３】
しかしながら、男性の場合、その時々の姿勢等により陰茎の向きが常に変化するため、従来の紙おむつでは、例えば、陰茎が上向き（胸方向）のときに勢いよく排尿がなされると、尿が紙おむつのウエスト開口部から漏れてしまうことがあった。また、横向きの状態で勢いよく排尿がなされると、足周り開口部から漏れてしまうことがあった。
さらに、特に、陰茎が上向きの状態で仰向けに寝ているさいに、軽失禁が生じると、従来の使いすて紙おむつでは尿が吸収体にまで到達せず、失禁者の下腹部上に留まり使用者が極めて不快な思いをするということがあった。
そこで、本発明の主たる課題は、このような陰茎の向きに起因する尿の漏れや不快感のない体液吸収性物品を提供することにある。
【課題を解決するための手段】
【０００４】
上記課題を解決した本発明およびその作用効果は次記のとおりである。
＜請求項１記載の発明＞
前身頃と後身頃とが股間部を介して連接され、前記前身頃から少なくとも股間部にいたるまで体液吸収要素が配置されている紙おむつ本体部と、
内部に体液を吸収保持する機能を有する袋部とこの袋部の開口縁の一部分が延出されてなる端片とを有する袋体と、を備え、
前記袋体は、端片の延出端縁部において前記おむつ本体部の前身頃に接着されていて、この接着部を除く自由部分が前記接着部を基部としておむつ本体部の前後方向に回動自在とされており、かつ、その端片に陰茎挿通用の孔部または切欠き部が形成されている、ことを特徴とする体液吸収性物品。
【０００５】
（作用効果）
本発明は、袋体が、袋部の開口縁の一部分が延出されてなる端片の延出端縁部において紙おむつ本体部の前身頃に接着されており、その余の自由部が接着部を基部としておむつ本体部前後方向に回動する。従って、装着者が紙おむつ本体部を装着した状態において、袋体の自由部を捲り挙げたりおろしたりする動きが可能である。従って、例えば、紙おむつ本体部を装着して袋体の自由部を降ろした通常状態（捲り挙げられていない状態）において、袋体の開口部が紙おむつ本体部側に位置する形態では、当然袋部を捲り挙げた状態で開口部が腹側になる。そして、本発明においては、袋体の端片には陰茎挿入用の孔部または切欠き部が形成されているから、前記形態でいえば、通常状態（捲り挙げられていない状態）の袋部に孔部を通して下向きに陰茎を挿入することができるとともに、袋部を捲り挙げて孔部等を通さずに直接袋部に上向きに陰茎を挿入することもできる。
なお、前記通常状態（捲り挙げていない状態）において、開口部が腹側に位置する形態では、陰茎を孔部に挿通せずに袋部に陰茎を下向きに挿入することになり、袋部を捲り挙げたときには孔部等を通して上向きに陰茎を袋部に挿入することになる。
このように、本発明では、陰茎の向きが上方向でも下方向でも確実に袋部に陰茎を挿入することができる。そして、袋部は体液吸収性能を有するので陰茎を挿入した状態で、例えば、失禁が生じても少量であれば袋体内に尿を留めることができる。また、袋体内に吸収できない量の尿が放出されてもおむつ本体部の前身頃から股間部にかけて存在する吸収要素にて吸収することができる。さらに、このとき尿が勢いよく放出されても袋部内底に当たって勢い抑制されるため、おむつ本体部のウエスト開口部や足回り開口部から漏れるおそれが格段に低減される。
なお、本発明において、陰茎を下向きに挿入するか上向きに挿入するか、孔部を通して袋部に挿入するかなどは、着用者が選択するものである。
【０００６】
＜請求項２記載の発明＞
孔部の周囲または切欠き部周囲に弾性伸縮部材が配されており、孔径あるいは切欠きの大きさが変化可能に構成されている請求項１記載の体液吸収性物品。
【０００７】
（作用効果）
陰茎の大きさに対する汎用性が高まるとともに、孔部または切欠き部の周縁が、孔部等に挿入された陰茎にフィットするため、陰茎を当該孔部等に挿通して袋部内に挿入する場合においては、袋部内になされた尿が当該挿通孔を介して下腹部に移行することが確実に防止される。
【０００８】
＜請求項３記載の発明＞
前記袋体の自由部分をおむつ本体部に対して仮固定するための係止部材が設けられている請求項１または２記載の体液吸収性物品。
【０００９】
（作用効果）
袋部を仮固定することができる。例えば、就寝時など姿勢の変化が少ない場合など陰茎の上下（前後）方向の動きが少ないときには、自由部分の動きを抑制することにより漏れ防止効果が向上する。例えば、陰茎が上向きでいるときに袋部を捲り挙げた状態でおむつ本体部に仮固定することができる。
【００１０】
＜請求項４記載の発明＞
少なくとも接着部と袋部との間に弾性伸縮部材が介在されている請求項１〜３の何れか１項に記載の体液吸収性物品。
【００１１】
（作用効果）
接着部と袋部との間に弾性伸縮部材を設けたので、この弾性伸縮部材が伸縮することで、袋部が前後方向の回動のみならず左右方向にも移動可能となる。従って、袋部を陰茎の動きにあわせてより柔軟に袋部を追随させることができ、装着感に優れるようになるとともに尿漏れ防止効果がより一層高まる
【発明の効果】
【００１２】
以上のとおり、本発明によれば、陰茎の向きに起因する尿の漏れや不快感のない体液吸収性物品が提供される。
【発明を実施するための最良の形態】
【００１３】
（第１の実施の形態）
＜概要＞
本実施形態に係る体液吸収性物品としてのパンツ型使い捨て紙おむつ１は、図１にも示されるとおり、外観上は従来の一般的なパンツ型使い捨て紙おむつと同様である。本実施の形態の使い捨て紙おむつは、図２に示す展開状態での平面図あるいは図５に示すその一部断面図から明らかになるとおり、その紙おむつ本体部１Ｘの前身頃Ｆの肌に接する側に袋体１Ｙが接着されている。
【００１４】
＜おむつ本体部について＞
紙おむつ本体部１Ｘは、特に図１および５に示すように、不織布などからなる透液性トップシート１１と、ポリエチレン等からなる不透液性バックシート１２との間に、綿状パルプなどの吸収体１３を介在させた吸収要素１０と、この吸収要素１０の外面側に一体的設けられた外装シート２０とからなり、製品状態で前記外装シート２０の前身頃と後身頃とが両側部において接合されることによりウエスト開口部及び左右一対のレッグ開口部が形成された構造のパンツ型紙おむつである。
【００１５】
吸収要素１０は、前述したように、不織布などからなる透液性トップシート１１と、ポリエチレン等からなるシート１２との間に、綿状パルプなどの吸収体１３を介在させた構造とされ、体液を吸収保持するものである。
【００１６】
前記吸収体１３は、図示例では平面形状を略方形状として成形されたものが使用され、その幅寸法は股間部への当たりによって着用者にゴワ付き感を与えない寸法幅となっている。この吸収体１３は、形状保持と透液性トップシート１１を透過した体液の拡散性向上のためにクレープ紙１４によって囲繞されている。なお、前記吸収体１３としては、嵩を小さくできるエアレイド吸収体を用いるのが望ましい。
【００１７】
前記吸収体１３の表面側（肌当接面側）を覆う透液性トップシート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性トップシート１１に多数の透孔を形成した場合には、尿などが速やかに吸収されるようになり、ドライタッチ性に優れたものとなる。前記透液性トップシート１１は、吸収体１３の側縁部を巻き込んで吸収体１３の裏面側まで延在している。
【００１８】
前記吸収体１３の裏面側（非肌当接面側）を覆う不透液性バックシート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００１９】
一方、外装シート２０は、上層不織布２０Ａ及び下層不織布２０Ｂからなる２層構造の不織布シートとされ、前記上層不織布２０Ａと下層不織布２０Ｂとの間に各種弾性部材が配設され、伸縮性が付与されている。平面形状は、中間両側部に夫々脚部開口を形成するために形成された凹状の脚回りカットライン２９により、全体として擬似砂時計形状を成している。
【００２０】
本発明に係る外装シート２０においては、前記弾性部材として、図２の展開形状平面図に示すように、前記ウエスト開口部回り２３に配置されたウエスト部弾性部材２４，２４…と、前身頃Ｆ及び後身頃Ｂに、上下方向に間隔をおいて水平方向に沿って配置された複数の腰回り弾性部材群２５，２５…とを有するとともに、前身頃Ｆ及び後身頃Ｂのそれぞれにおいて、前記腰回り弾性部材群２５，２５…とは別に、前身頃Ｆと後身頃Ｂとを接合する一方側接合縁から股下側に延び、股下側を迂回して前身頃と後身頃との他方側接合縁に到達するとともに、互いに交差することなく間隔をおいて配置された複数本の湾曲弾性部材群２６…、２８…を備えるものである。なお、本外装シート２０では、前記脚回りカットライン２９に沿って実質的に連続する、所謂脚回り弾性部材は設けられていないが、設けられていてもよい。
【００２１】
＜袋体について＞
一方、前記袋体１Ｙは、特に図２から４に示されるように、袋部３１と袋部３１の開口縁の一部が延在してなる端片３２とを備えるものであり、本形態の袋体１Ｙは、特に略長方形のシート素材が長手方向に端縁をずらして折り返され、その重ね合せ部分の両側縁３１Ｓ,３１Ｓを熱溶着してなる三方閉じ合わせ形状をなしている。なお、両側縁３１Ｓ,３１Ｓの接着方法は熱溶着に限られずホットメルト接着などを採用することもできる。
【００２２】
袋体１Ｙの前記シート素材は、図４の断面図に示すとおり透液性シート３７と不透液性シート３３との間に吸収体３４を介在させたものであり、透液性シート３７が袋部内面となるように構成されている。ここで、吸収体３４は上述の紙おむつ本体部の吸収要素１０に用いた、吸収体１３と同様の素材、透液シート３２は紙おむつ本体部１Ｘの透液性トップシート１１と同様の素材、不透液シート３３の素材は、紙おむつ本体部１Ｘに不透液性バックシート１２と同様の素材を、それぞれ用いることができる。
【００２３】
前記袋体１Ｙは、前記端片３２の延出端縁部両側部３２ＥＳ,３２ＥＳに紙おむつ本体部１Ｘに対して接着するための接着部３２ＥＳ,３２ＥＳを有し、それらの間の延出端縁中央部は切り欠かれて切欠き部３２Ｃとされている。この切欠き縁３２ＥＣは紙おむつ本体部１Ｘと接着されない。
【００２４】
他方、袋体１Ｙは、接着部（延出端縁部両側部）３２ＥＳ,３２ＥＳと、袋部３１との間に弾性伸縮部材３５,３５が介在されており、当該弾性伸縮部材３５,３５の伸縮によって袋部は、接着部３２ＥＳ,３２ＥＳが紙おむつ本体部に固定された状態であっても横方向あるいは袋底方向に若干動くことが可能とされている。  ここで、弾性伸縮部材３５は、平板状のゴム素材やエラストマーフィルム、不織布シート間に糸ゴムを介在させた弾性シートなどを好適に用いることができる。
【００２５】
＜体液吸収性物品の構造と使用方法＞
体液吸収性物品１は、特に図２、５に示されるように、袋体３１が、接着部（延出端縁部両側部）３２ＥＳ,３２ＥＳにおいて紙おむつ本体部１Ｘの前身頃Ｆの肌に接する側に接着されており、その余の袋部３１および端片３２の一部を含む自由部分３０Ｆが、紙おむつ本体部１Ｘに対して自由とされている。
【００２６】
紙おむつ本体部１Ｘに対する袋体１Ｙの接着は、前記袋体１Ｙの延出端縁３２Ｅが紙おむつ本体部１Ｘのウェストライン２０Ｅと平行となるようになされており、もって袋部３１の開口方向はウェストライン２０Ｅと直行するようになっている。従って、前記自由部分３０Ｆは、図５にも示されるとおり、接着部３２ＥＳを基部として紙おむつ本体部１Ｘの前後方向１Ａ（装着状態における装着者の身長方向）に回動自在とされ、自由部３０Ｆを捲り上げたり下ろしたりする動作が可能であり、もって袋部３１の開口部３０Ｈを上向にするかまたは下向きにするかの選択が可能となっている。ここで、前記紙おむつ本体部１Ｘと袋体１Ｙとの接着は、不織布同士の接着等によく用いられるホットメルト接着、熱溶着など既知の接着方法を用いることができる。
【００２７】
一方、袋体１Ｙの袋部３１の表裏面および紙おむつ本体部１Ｘの肌に接する面のそれぞれに、袋部３１を紙おむつ本体部１Ｙの肌に接する面に仮固定するための係止部材３６,３６が配されている。本形態では、この係止部材は、メカニカルファスナーで構成されているが粘着シート等を用いることも可能である。
【００２８】
次いで、本形態の体液吸収性物品１の使用方法について説明する。本形態は特に図５に示すとおり、自由部３０Ｆを降ろした通常状態（捲り挙げられていない状態）においては、袋体１Ｙの開口部３０Ｈが紙おむつ本体部１Ｘ側に位置している。そして、自由部３０Ｆを捲り上げると開口部３０Ｈが使用者の腹側（Ｓ）に位置するようになる。
【００２９】
従って、本形態では、捲り挙げられていない通常状態においては、端片３２に形成された切欠き部３２Ｃに陰茎を挿通して、陰茎先を袋部内に下向きに挿入して納める。この通常状態での使用は、例えば、使用者が歩行したり、起立しているときなど陰茎が下に向いている状態が長時間連続する場合に好適な使用態様である。
【００３０】
一方、袋部３１を捲り挙げた開口部３０Ｈが腹側（Ｓ）に位置する捲り上げ状態では、陰茎を切欠き部に挿通せずに直接袋部に上向きに挿入して納める。この捲り上げ状態は、例えば、就寝時など陰茎先が身体の上方を向いた状態が長時間連続する際に好適な使用態様である。
【００３１】
（その他の実施の形態）
袋体の他の形態を図６に示す。本形態は、袋体１Ｙが、延出端縁部３２ＥＡの全部が紙おむつ本体部１Ｘに対する接着部３２ＥＡとされている。そして、端片３２の接着部３２Ｅに近い位置に、陰茎挿入用切欠きではなく陰茎挿入用の孔部３２Ｈが形成されているとともに、その孔部の周囲に糸ゴム３２Ｇが配されて伸縮性が付与されていて、挿入された陰茎に対して孔周縁３２ＨＥがフィットするように構成されている。また、本形態では、接着部３２ＥＡと袋部３１との間に弾性伸縮部材が配置されていない。その他の構成については、上記第１の実施形態と同様である。
【００３２】
（その他）
なお、上記形態は、紙おむつ本体部１Ｘがパンツ型紙おむつの形態であるが、おむつ本体部は、前身頃Ｆと後身頃Ｂとが腰脇部では予め接合されていない、いわゆるテープ式紙おむつの形態とすることもできる。
【００３３】
また、前記通常状態（袋部を捲り挙げずに下ろしている状態）において、開口部３０Ｈが腹側Ｓに位置する形態としてもよい。
【産業上の利用可能性】
【００３４】
本発明は、使い捨て紙おむつのほか、ブリーフなどの下着類やその他のパンツ型製品に利用することが可能である。
【図面の簡単な説明】
【００３５】
【図１】本実施形態にかかる体液吸収性物品の外観斜視図である。
【図２】その展開図である。
【図３】本実施の形態にかかる袋体の平面図である。
【図４】その断面図である。
【図５】本実施形態にかかる体液吸収性物品の一部断面図である。
【図６】袋体の他の形態を示す平面図である。
【符号の説明】
【００３６】
１…体液吸収性物品、１Ｘ…紙おむつ本体部、１Ｙ…袋体、１０…吸収要素、１１…透液性トップシート、１２…不透液性バックシート、１３…吸収体、１４…クレープ紙、２０…外装シート、２０Ｅ…ウェストライン、２１・２２…脇部接合縁、２４…ウエスト部弾性部材、２５…腰回り弾性部材、２６…背側湾曲弾性部材、２８…腹側湾曲弾性部材、２９…脚回りカットライン、Ｆ…前身頃、Ｂ…後身頃、３０Ｆ…自由部、３０Ｈ…袋体開口部、３１…袋部、３０…端片、３１Ｃ…切欠き部、３２ＥＳ,３２ＥＡ…接着部、３２Ｇ…糸ゴム、３５…エラストマーフィルム、３６…係止部材。
【図１】
2007097645.tif 000003
【図２】
2007097645.tif 000004
【図３】
2007097645.tif 000005
【図４】
2007097645.tif 000006
【図５】
2007097645.tif 000007
【図６】
2007097645.tif 000008